(57)【要約】【課題】デバイスキーのフラッシュメモリへの書き込み、または書き換えを行うとき、装置毎にそれぞれ異なったデバイスキーを書き込めるようにし、またデバイスキーがユーザ以外の第三者に漏れないようにすることができる光ディスク再生装置を提供する。【解決手段】フラッシュメモリ２０にデバイスキーを書き込むために使用する光ディスク１を予め作成しておく。そして、その光ディスク１を用いてデバイスキーをフラッシュメモリ２０に書き込む場合、システムコントローラ１４は、再生装置側ＩＤと光ディスク側ディスクＩＤとが一致するか否かをＩＤ比較手段１４１により判定し、両者が一致すると、デバイスキー書込み手段１４２により光ディスク１からデバイスキーを取得してフラッシュメモリ２０に書き込む。【選択図】      図１
2004355688.tif 000002
【特許請求の範囲】
【請求項１】
装置の各部を制御するためのファームウェアが記憶されたフラッシュメモリを備え、このフラッシュメモリからのファームウェアに従って装置の各部を制御するシステムコントローラを備え、ＤＶＤオーディオ規格のオーディオ再生にはＣＰＰＭのデバイスキーを必要とし、ＤＶＤビデオ規格のＶＲモードのＣＰＲＭによって保護された部分の再生にはＣＰＲＭのデバイスキーを必要とし、光ディスクに記録された情報を再生する光ディスク再生装置であって、前記システムコントローラは、再生装置側ディスクＩＤと光ディスク側ディスクＩＤとを比較するＩＤ比較手段と、このＩＤ比較手段により前記再生装置側ディスクＩＤと前記光ディスク側ディスクＩＤとが一致したと判定された場合に後記作成された光ディスクからデバイスキーを取得して前記フラッシュメモリに書き込むデバイスキー書込み手段とを有し、前記ファームウェアの前記フラッシュメモリへの書き込み時に書き込まれた再生装置側ディスクＩＤを元に、光ディスク側ディスクＩＤとデバイスキーが書き込まれた光ディスクを用いて前記フラッシュメモリへのデバイスキーの書き込みを行い、光ディスク側のディスクＩＤとデバイスキーとが書き込まれた前記光ディスクは、前記ファームウェアの前記フラッシュメモリへの書き込み時に記憶された再生装置側ディスクＩＤを元に、光ディスク側ディスクＩＤとデバイスキーとを書き込んで光ディスク作成処理装置により作成されるものであり、前記デバイスキーをそのまま連続アドレスに書き込まずに、ダミーデータと共にアドレスに書き込み、前記デバイスキーの取得は、前記再生装置側ディスクＩＤと前記光ディスク側ディスクＩＤとが一致した場合に、前記光ディスク内のアドレス特定キーを変換して特定アドレスを算出し、この特定アドレスの内容からデバイスキーを検出して行うことを特徴とする光ディスク再生装置。
【請求項２】
装置の各部を制御するためのファームウェアが記憶されたフラッシュメモリを備え、このフラッシュメモリからのファームウェアに従って装置の各部を制御するシステムコントローラを備え、オーディオの再生には予め定めたオーディオ規格に対応したデバイスキーを必要とし、所定箇所のビデオの再生には予め定めたビデオ規格に対応したデバイスキーを必要とし、光ディスクに記録された情報を再生する光ディスク再生装置において、再生装置側ディスクＩＤを元に光ディスク側ディスクＩＤおよびデバイスキーが書き込まれた光ディスクを予め作成しておき、前記フラッシュメモリにデバイスキーを書き込む際、前記システムコントローラは、前記作成された光ディスクの光ディスク側ディスクＩＤが再生装置側ディスクＩＤと一致すると判定した場合、その光ディスクから前記デバイスキーを取得して前記フラッシュメモリに書き込むことを特徴とする光ディスク再生装置。
【請求項３】
前記フラッシュメモリにデバイスキーを書き込むために使用する光ディスクは、前記ファームウェアの前記フラッシュメモリへの書き込み時に記録された再生装置側ディスクＩＤを元に、光ディスク側ディスクＩＤとデバイスキーとを書き込んで光ディスク作成処理装置により作成されるものであることを特徴とする請求項２に記載の光ディスク再生装置。
【請求項４】
前記光ディスクへのデバイスキーの書き込みは、前記デバイスキーをそのまま連続アドレスに書き込まずに、ダミーデータと共にアドレスに書き込むことを特徴とする請求項３に記載の光ディスク再生装置。
【請求項５】
前記システムコントローラは、再生装置側ディスクＩＤと光ディスク側ディスクＩＤとを比較するＩＤ比較手段と、このＩＤ比較手段により前記再生装置側ディスクＩＤと前記光ディスク側ディスクＩＤとが一致したと判定された場合に後記光ディスクからデバイスキーを取得して前記フラッシュメモリに書き込むデバイスキー書込み手段とを有し、前記ファームウェアの前記フラッシュメモリへの書き込み時に書き込まれた再生装置側ディスクＩＤを元に、光ディスク側ディスクＩＤとデバイスキーとが書き込まれた光ディスクを用いて前記フラッシュメモリへのデバイスキーの書き込みを行うことを特徴とする請求項２に記載の光ディスク再生装置。
【請求項６】
前記光ディスクからのデバイスキーの取得は、前記再生装置側ディスクＩＤと前記光ディスク側ディスクＩＤとが一致した場合に前記光ディスク内のアドレス特定キーを変換して特定アドレスを算出し、この特定アドレスの内容からデバイスキーを検出して行うことを特徴とする請求項５に記載の光ディスク再生装置。
【請求項７】
ＤＶＤオーディオ規格のオーディオの再生にはＣＰＰＭのデバイスキーを必要とし、ＤＶＤビデオ規格であるＶＲモードのＣＰＲＭによって保護された部分の再生にはＣＰＲＭのデバイスキーを必要とする光ディスクに対して情報を再生することが可能であることを特徴とする請求項２に記載の光ディスク再生装置。
【発明の詳細な説明】
【０００１】
【発明の属する技術分野】
本発明は、フラッシュメモリからのファームウェアに従って装置の各部を制御するシステムコントローラを備え、ＤＶＤオーディオの再生にはＣＰＰＭのデバイスキーを必要とし、ＶＲモードのＣＰＲＭによって保護された部分の再生にはＣＰＲＭのデバイスキーを必要とし、光ディスクに記録された情報を再生する光ディスク再生装置に関する。
【０００２】
【従来の技術】
近年、オーディオ情報やビデオ情報を記録する記録媒体としてＤＶＤ（デジタル・バーサタイル・ディスク）などの光ディスクが普及している。このような光ディスクに記録された情報は、光で読み取って再生が行われるので、従来から使用されている記録媒体である磁気テープなどの記録情報を再生するのに比べ、光ディスク間で情報をコピーしたり、多数回再生したりしても、再生信号の品質劣化が殆ど生じない。そのため、光ディスクに記録された情報の著作権の保護という観点で大きな問題が生じてきた。したがって、オーディオ情報やビデオ情報などのコンテンツを暗号化したり、暗号を復号化したりするキーの管理は非常に重要なものとなる。
【０００３】
そこで、ＤＶＤオーディオ規格のオーディオ再生のためには、光ディスク再生装置側にＣＰＰＭ（Ｃｏｎｔｅｎｔ  Ｐｒｏｔｅｃｔｉｏｎ  ｆｏｒ  Ｐｒｅｃｏｒｄａｂｌｅ  Ｍｅｄｉａ）のデバイスキーを必要とし、ＤＶＤビデオ規格のＶＲ（Ｖｉｄｅｏ    Ｒｅｃｏｒｄｉｎｇ）モードのビデオ再生のためには、光ディスク再生装置側にＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）のデバイスキーを必要としている。
【０００４】
【特許文献１】
特開２００３−２２６０９号公報
【特許文献２】
特開２００３−２３４１９号公報
【０００５】
【発明が解決しようとする課題】
ところで、上記のようなデバイスキーは、工場において光ディスク再生装置の製造時に、異なるデバイスキーが複数個記録された光ディスクを用い、メモリ書込み装置によってファームウェアなどと共にフラッシュメモリ（ＥＰＲＯＭ等）に書き込まれ、その後、フラッシュメモリは光ディスク再生装置の回路基板に実装される。
【０００６】
ところが、予め用意された複数個のデバイスキーから或るデバイスキーを選択してフラッシュメモリに書き込むときに、同じデバイスキーを間違って選択して例えば５個のフラッシュメモリに書き込んだ場合、同じデバイスキーが記録されたフラッシュメモリを搭載した光ディスク再生装置が５台できることになり、また、複数個のデバイスキーが記録された光ディスクが外部に漏れてしまうと、それらのデバイスキーが、第三者によって解読されて、勝手に使用される危険性が生じる。また、フラッシュメモリが光ディスク再生装置の回路基板に実装された後、フラッシュメモリ内のデバイスキーを書き換えるには、フラッシュメモリを回路基板から外さなければならないので、多くの時間を要し、書き換え効率が劣っていた。
【０００７】
なお、特許文献１，２の従来技術では、情報記録再生装置の製造時にデバイスキーをＥＰＲＯＭなどに書き込んでいるので、デバイスキーを書き換えるには、上記の従来の光ディスク再生装置における課題と同様、ＥＰＲＯＭなどを回路基板から外さなければならないので、多くの時間を要し、書き換え効率が劣るという課題があった。また、製造過程において、間違って同じデバイスキーがＥＰＲＯＭなどに書き込まれる可能性があり、上記従来の光ディスク再生装置における課題と同様、デバイスキーを勝手に使用される危険性がある。
【０００８】
本発明は、上記のような課題を解決するためになされたもので、デバイスキーのフラッシュメモリへの書き込み、または書き換えを行うとき、装置毎にそれぞれ異なったデバイスキーを書き込めるようにし、また、デバイスキーがユーザ以外の第三者に漏れないようにすることができる光ディスク再生装置を提供することを目的とする。
【０００９】
【課題を解決するための手段】
上記目的を達成するために、請求項１の発明は、装置の各部を制御するためのファームウェアが記憶されたフラッシュメモリを備え、このフラッシュメモリからのファームウェアに従って装置の各部を制御するシステムコントローラを備え、ＤＶＤオーディオ規格のオーディオ再生にはＣＰＰＭのデバイスキーを必要とし、ＤＶＤビデオ規格のＶＲモードのＣＰＲＭによって保護された部分の再生にはＣＰＲＭのデバイスキーを必要とし、光ディスクに記録された情報を再生する光ディスク再生装置であって、前記システムコントローラは、再生装置側ディスクＩＤと光ディスク側ディスクＩＤとを比較するＩＤ比較手段と、このＩＤ比較手段により前記再生装置側ディスクＩＤと前記光ディスク側ディスクＩＤとが一致したと判定された場合に後記光ディスクからデバイスキーを取得して前記フラッシュメモリに書き込むデバイスキー書込み手段とを有し、前記ファームウェアの前記フラッシュメモリへの書き込み時に書き込まれた再生装置側ディスクＩＤを元に、光ディスク側ディスクＩＤとデバイスキーが書き込まれた光ディスクを用いて前記フラッシュメモリへのデバイスキーの書き込みを行い、光ディスク側のディスクＩＤとデバイスキーとが書き込まれた前記光ディスクは、前記ファームウェアの前記フラッシュメモリへの書き込み時に記憶された再生装置側ディスクＩＤを元に、光ディスク側ディスクＩＤとデバイスキーとを書き込んで光ディスク作成処理装置により作成されるものであり、前記デバイスキーをそのまま連続アドレスに書き込まずに、ダミーデータと共にアドレスに書き込み、前記デバイスキーの取得は、前記再生装置側ディスクＩＤと前記光ディスク側ディスクＩＤとが一致した場合に、前記光ディスク内のアドレス特定キーを変換して特定アドレスを算出し、この特定アドレスの内容からデバイスキーを検出して行うことを特徴とする光ディスク再生装置を提供する。
【００１０】
この構成において、フラッシュメモリにデバイスキーを書き込むために使用する光ディスクを光ディスク作成処理装置によって作成する。即ち、光ディスク作成処理装置においては、ファームウェアのフラッシュメモリへの書き込み時に再生装置側ディスクＩＤを記憶し、この記憶した再生装置側ディスクＩＤを元に光ディスク側ディスクＩＤとデバイスキーとを書き込んで前記光ディスクを作成する。しかも、このとき、前記デバイスキーをそのまま連続アドレスに書き込まずに、ダミーデータと共にアドレスに書き込む。これにより、デバイスキーは解読されにくくなり、安全性が向上する。
【００１１】
そして、前記作成された光ディスクを用いてデバイスキーをフラッシュメモリに書き込む場合は、光ディスクを光ディスク再生装置に挿入して再生すると、システムコントローラは、再生装置側ＩＤと光ディスク側ディスクＩＤとが一致するか否かをＩＤ比較手段により比較し、一致すると、デバイスキー書込み手段により、光ディスクからデバイスキーを取得してフラッシュメモリに書き込む。そのデバイスキーの取得は、光ディスク内のアドレス特定キーを変換して特定アドレスを算出し、この特定アドレスの内容からデバイスキーを検出して行われる。なお、フラッシュメモリに既にデバイスキーが書き込まれている場合は、書き換えられることになる。
【００１２】
この構成の光ディスク再生装置によれば、再生装置側ディスクＩＤを元に光ディスク側ディスクＩＤとデバイスキーとが書き込まれた光ディスクを用いて、フラッシュメモリにデバイスキーを書き込むようにしたので、各光ディスク再生装置はそれぞれ異なるデバイスキーを持つことになり、これにより、ユーザ以外の第三者にデバイスキーが解読されて漏れるようなことがなくなり、安全性が向上する。
【００１３】
また、製造時に間違って同じデバイスキーが複数の光ディスク再生装置のフラッシュメモリに書き込まれた場合でも、その光ディスクを用いることにより、デバイスキーを簡単に書き換えることが可能になり、従来のようにデバイスキーを書き換えるために、フラッシュメモリを回路基板から外す必要がなくなり、デバイスキーの書き換えの効率が向上する。
【００１４】
請求項２の発明は、装置の各部を制御するためのファームウェアが記憶されたフラッシュメモリを備え、このフラッシュメモリからのファームウェアに従って装置の各部を制御するシステムコントローラを備え、オーディオの再生には予め定めたオーディオ規格に対応したデバイスキーを必要とし、所定箇所のビデオの再生には予め定めたビデオ規格に対応したデバイスキーを必要とし、光ディスクに記録された情報を再生する光ディスク再生装置において、再生装置側ディスクＩＤを元に光ディスク側ディスクＩＤおよびデバイスキーが書き込まれた光ディスクを予め作成しておき、前記フラッシュメモリにデバイスキーを書き込む際、前記システムコントローラは、前記作成された光ディスクの光ディスク側ディスクＩＤが再生装置側ディスクＩＤと一致すると判定した場合、その光ディスクから前記デバイスキーを取得して前記フラッシュメモリに書き込むことを特徴とする光ディスク再生装置を提供する。
【００１５】
この構成において、フラッシュメモリにデバイスキーを書き込むために使用する光ディスクを予め作成しておく。そして、前記作成された光ディスクを用いてデバイスキーをフラッシュメモリに書き込む場合は、その光ディスクを光ディスク再生装置に挿入して再生すると、システムコントローラは、再生装置側ディスクＩＤと光ディスク側ディスクＩＤとが一致するか否かを判定し、両者が一致すると、その光ディスクからデバイスキーを取得してフラッシュメモリに書き込む。
【００１６】
この構成の光ディスク再生装置によれば、再生装置側ディスクＩＤを元に光ディスク側ディスクＩＤとデバイスキーとが書き込まれた光ディスクを用いて、フラッシュメモリにデバイスキーを書き込むようにしたので、各光ディスク再生装置はそれぞれ異なるデバイスキーを持つことになり、これにより、ユーザ以外の第三者にデバイスキーが解読されて漏れるようなことがなくなり、安全性が向上する。
【００１７】
また、製造時に間違って同じデバイスキーが複数の光ディスク再生装置のフラッシュメモリに書き込まれた場合でも、その光ディスクを用いることにより、デバイスキーを簡単に書き換えることが可能になり、従来のようにデバイスキーを書き換えるために、フラッシュメモリを回路基板から外す必要がなくなり、デバイスキーの書き換えの効率が向上する。
【００１８】
請求項３の発明では、フラッシュメモリにデバイスキーを書き込むために使用する光ディスクは、ファームウェアのフラッシュメモリへの書き込み時に記録された再生装置側ディスクＩＤを元に、光ディスク側ディスクＩＤとデバイスキーとを書き込んで光ディスク作成処理装置で作成されるものであるので、その光ディスクを用いることにより、各光ディスク再生装置は固有のデバイスキーを持つことができる。
【００１９】
請求項４の発明では、光ディスクへのデバイスキーの書き込みは、デバイスキーをそのまま連続アドレスに書き込まずに、ダミーデータと共にアドレスに書き込むので、デバイスデータを第三者に解読される危険性が少なくなる。
【００２０】
請求項５の発明では、前記システムコントローラは、再生装置側ディスクＩＤと光ディスク側ディスクＩＤとを比較するＩＤ比較手段と、このＩＤ比較手段により前記再生装置側ディスクＩＤと前記光ディスク側ディスクＩＤとが一致したと判定された場合に後記光ディスクからデバイスキーを取得して前記フラッシュメモリに書き込むデバイスキー書込み手段とを有し、前記ファームウェアの前記フラッシュメモリへの書き込み時に書き込まれた再生装置側ディスクＩＤを元に光ディスク側ディスクＩＤとデバイスキーとが書き込まれた光ディスクを用いて前記フラッシュメモリへのデバイスキーの書き込みを行うので、各光ディスク再生装置にそれぞれ異なるデバイスキーを持たせることが可能になり、また、デバイスキーを簡単に書き換えることも可能になる。
【００２１】
請求項６の発明では、光ディスクからのデバイスキーの取得は、再生装置側ディスクＩＤと光ディスク側ディスクＩＤとが一致した場合に光ディスク内のアドレス特定キーを変換して特定アドレスを算出し、この特定アドレスの内容からデバイスキーを検出して行うので、簡単な処理で、しかも正確にデバイスキーを取得できる。
【００２２】
請求項７の発明では、ＤＶＤオーディオ規格のオーディオの再生にはＣＰＰＭのデバイスキーを必要とし、ＤＶＤビデオ規格であるＶＲモードのＣＰＲＭによって保護された部分の再生にはＣＰＲＭのデバイスキーを必要とする光ディスクに対して情報を再生することが可能であるので、このようなＣＰＰＭやＣＰＲＭによって保護された光ディスクの情報を再生することができる光ディスク再生装置を得ることができる。
【００２３】
【発明の実施の形態】
以下、添付図面を参照しつつ、本発明の実施の形態について説明する。図１は本発明の一実施形態に係る光ディスク再生装置の構成を示すブロック図である。図１において、この光ディスク再生装置は、光ディスク１に記録された情報を再生するためにレーザ光を出射すると共に光ディスク１からの反射光を受光する光ピックアップ３と、光ディスク１を回転させるスピンドルモータ２と、このスピンドルモータ２を駆動するスピンドルドライブ回路１９と、光ピックアップ３のトラッキングサーボを行うトラッキングアクチュエータを駆動するトラッキングドライブ回路１７と、光ピックアップ３のフォーカスサーボを行うアクチュエータを駆動するフォーカスドライブ回路１６と、光ピックアップ３を光ディスク１の半径方向に移動させるスレッド４と、このスレッド４を駆動するスレッドドライブ回路１８とを備えている。
【００２４】
また、この光ディスク再生装置は、光ディスク１の再生時に光ディスク１からの再生信号（読取信号）を入力して該再生信号よりＲＦ信号を作成して増幅するＲＦアンプ５と、ＶＣＯ（ｖｏｌｔａｇｅ  ｃｏｎｔｒｏｌｌｅｄ  ｏｓｃｉｌｌａｔｏｒ）を含むＰＬＬ（ｐｈａｓｅ  ｌｏｃｋｅｄ  ｌｏｏｐ）８を備えＲＦアンプ５からのＲＦ信号を入力してデータと同期信号を分離するデータ／同期信号分離回路６と、このデータ／同期信号分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号を出力するＡＶデコード回路１０とを備えている。
【００２５】
また、このディスク再生装置は、ＲＦアンプ５からのＲＦ信号に含まれ光ディスク１上のトラックの無いミラー面を示すミラー信号を検出してミラー面をカウントするミラー検出回路７と、光ピックアップ３からの再生信号に含まれるトラッキングエラー信号を検出するトラッキングエラー検出回路１１と、光ピックアップ３からの再生信号に含まれるフォーカスエラー信号を検出するフォーカスエラー検出回路１２と、トラッキングエラー検出回路１１からのトラッキングエラー信号に基づいてトラッククロスを検出してトラックパルスを出力するトラッククロス検出回路１３とを備えている。
【００２６】
また、この光ディスク再生装置は、装置の各部（上記各構成要素）を制御するためのファームウェアなどが記憶されたフラッシュメモリ２０と、このフラッシュメモリ２０のファームウェアに従って装置全体の処理を行うＣＰＵ１５と、このＣＰＵ１５の指示に従って上記各構成要素を制御するシステムコントローラ１４を備えている。
【００２７】
システムコントローラ１４は、光ピックアップ３からの再生信号に含まれるフォーカスエラー信号に基づいて光ピックアップ３のフォーカスサーボのための制御、光ピックアップ３からの再生信号に含まれるトラッキングエラー信号に基づいて光ピックアップ３のトラッキングサーボのための制御、スレッドドライブ回路１８を介してスレッド４を駆動して光ピックアップ３を光ディスク１の半径方向に移動させる制御、スピンドルドライブ回路１９を介してスピンドルモータ２を回転させる制御などを行う。
【００２８】
更に、このシステムコントローラ１４は、再生装置側ディスクＩＤと光ディスク側ディスクＩＤとを比較するＩＤ比較手段１４１と、このＩＤ比較手段１４１により前記再生装置側ディスクＩＤと前記光ディスク側ディスクＩＤとが一致したと判定された場合に光ディスク１からデバイスキーを取得してフラッシュメモリ２０に書き込むデバイスキー書込み手段１４２とを有し、ファームウェアのフラッシュメモリ２０への書き込み時に書き込まれた再生装置側ディスクＩＤを元に、光ディスク側ディスクＩＤとデバイスキーとが書き込まれた光ディスク１を用いてフラッシュメモリ２０へのデバイスキーの書き込みを行う。
【００２９】
図２は、本実施形態の光ディスク再生装置に備えられるフラッシュメモリにデバイスキーを書き込むための光ディスクを作成する光ディスク作成処理装置と、フラッシュメモリにファームウェアを書き込むためのファームウェア書き込み処理装置とを示すブロック図である。
【００３０】
図２において、光ディスク作成処理装置１００は、光ディスク作成などに関する処理を行うＣＰＵ１１１と、このＣＰＵ１１１での処理に必要なデータを一時的に格納するＲＡＭ１１２と、デバイスキーなどを記憶すると共にディスクキーを管理するためのＨＤＤ（ハードディスク）１１３と、再生装置側ディスクＩＤを元に光ディスク側ＩＤとデバイスキーとを光ディスクに書き込むためのディスクドライブ１１４とを備えている。即ち、この光ディスク作成処理装置１００は光ディスク再生装置のフラッシュメモリ２０（図１参照）に対してデバイスキーを書き込んだり、書き換えたりするために用いられる光ディスクを作成するものである。光ディスク作成処理装置１００は、ネットワーク１０１を介してファームウェア書き込み処理装置２００に接続されている。
【００３１】
ファームウェア書込み処理装置２００は、フラッシュメモリ２０へのファームウェアの書き込みなどに関する処理を行うＣＰＵ２１１と、このＣＰＵ２１１での処理に必要なデータを一時的に格納するＲＡＭ２１２と、ファームウェアおよびそのファームウェアのＩＤを記憶すると共にどのＩＤをフラッシュメモリ２０に書き込んだかを管理するためのＨＤＤ２１３とを備えている。フラッシュメモリ２０にファームウェアを書き込む場合は、このファームウェア書き込み処理装置２００にインターフェイスを介してメモリ書込み装置（図示せず）を接続し、このメモリ書込み装置にフラッシュメモリ２０をセットし、フラッシュメモリ２０にファームウェアを書き込む。なお、図２中のＨＤＤ２１３内のＦ／Ｗはファームウェアを示す。
【００３２】
図３は光ディスク再生装置に備えられるフラッシュメモリ２０の記憶領域を示す。図３において、３１は計算機から光ディスク再生装置にファームウェアを書き込む時に読み出されるＩＤが格納されているＩＤブロック、３２はＣＰＰＭ／ＣＰＲＭデバイスキーが格納されているデバイスキーブロック、３３は光ディスク再生装置の各部を制御するためのプログラム（ファームウェア）が格納されているプログラム領域を示す。
【００３３】
図４は、本実施形態においてＣＰＲＭ／ＣＰＰＭのデバイスキーのフラッシュメモリへの書き込み処理（書き換え処理）を説明するためのフローチャートである。
【００３４】
図４において、工場で光ディスク再生装置を製造する際に、光ディスク再生装置内のフラッシュメモリ２０にファームウェア（Ｆ／Ｗ）を書き込み時に、ファームウェアと共にそのＩＤをフラッシュメモリ２０に書き込み（ステップＳ１）、その書き込みに使用するファームウェア書込み処理装置２００内のＨＤＤ２１３に前記ＩＤを記録しておく（ステップＳ２）。
【００３５】
即ち、光ディスク再生装置毎に異なるＩＤは、フラッシュメモリ２０内の独立したブロック（プログラム領域とは別領域）に書き込まれる。そして、その書き込まれたＩＤは、例えばＨＤＤ２１３に記録しておき、そのＩＤの例えば上位３２ビットをディスクＩＤ（再生装置側ディスクＩＤおよび光ディスク側ディスクＩＤに相当）とし、その下位３２ビットを、光ディスク内のアドレスを特定するためのアドレス特定キーとして使用する。
【００３６】
次に、光ディスク再生装置のフラッシュメモリにデバイスキーを書き込む、またはデバイスキーを書き換えるための光ディスク（例えばＣＤ−Ｒ）の作成を行う。即ち、ファームウェア書き込み処理装置２００内のＨＤＤ２１３に記録した再生装置側ディスクＩＤを元に、光ディスク作成処理装置１００は、光ディスク側ディスクＩＤとデバイスキーとを書き込んだ光ディスク（ＣＤ−Ｒ）を作成する（ステップＳ３）。この後、その光ディスク（ＣＤ−Ｒ）を光ディスク再生装置に挿入してこの光ディスク再生装置のフラッシュメモリ２０に対するデバイスキーの書き込み処理を開始する（ステップＳ４）。
【００３７】
その時、光ディスク再生装置において、システムコントローラ１４のＩＤ比較手段１４１は、この光ディスク再生装置が既に持っている再生装置側ディスクＩＤと光ディスク側ディスクＩＤとが一致するか否かを判定し（ステップＳ５）、両者が一致すれば、デバイスキー書込み手段１４２は、光ディスク（ＣＤ−Ｒ）からデバイスキーを取得して、光ディスク再生装置のフラッシュメモリ２０に書き込む（ステップＳ６）。
【００３８】
なお、フラッシュメモリ２０に既にデバイスキーが書き込まれている場合に、このデバイスキーと異なるデバイスキーが前記ステップＳ６の処理でフラッシュメモリ２０に書き込まれると、フラッシュメモリ２０のデバイスキーが書き換えられ、この光ディスク再生装置のデバイスキーが新たなデバイスキーに変更されることになる。したがって、ユーザ以外の第三者にデバイスキーが漏れて、勝手に使用されるような危険性が少なくなり、安全性が向上する。
【００３９】
図５は光ディスク（ＣＤ−Ｒ）内の値を示す図である。この図５において、アドレスＸにはディスクＩＤが書き込まれている。アドレスＹは、光ディスク再生装置が持っているディスク内アドレス特定キーを変換して算出された光ディスク（ＣＤ−Ｒ）の特定アドレスを示し、そのアドレスＹにはデバイスキーアドレスＡ１が書き込まれている。次のアドレスＹ＋１には、デバイスキーアドレスＡ１が正しいか否をチェックするためのチェック値Ｃ１が書き込まれている。
【００４０】
以下、アドレスＹ＋２にはデバイスキーアドレスＡ２が、アドレスＹ＋３にはデバイスキーアドレスＡ２のチェック値Ｃ２が、アドレスＹ＋４にはデバイスキーアドレスＡ３が、アドレスＹ＋５にはデバイスキーアドレスＡ３のチェック値Ｃ３が、アドレスＹ＋６にはデバイスキーアドレスＡ４が、アドレスＹ＋７にはデバイスキーアドレスＡ４のチェック値Ｃ４が、それぞれ書き込まれている。また、デバイスキーアドレスＡ１にはデバイスキーＤ１が、デバイスキーアドレスＡ２にはデバイスキーＤ２がそれぞれ書き込まれている。
【００４１】
図６は、光ディスク内のアドレス特定キーからデバイスキーの取得までの処理を説明するためのフローチャートである。次に、このフローチャートに従って説明する。
【００４２】
図４のフローチャートで説明したように、光ディスク再生装置が既に持っている再生装置側ディスクＩＤと光ディスク（ＣＤ−Ｒ）に記録されている光ディスク側ディスクＩＤとが一致した後（ステップＳ１１）、光ディスク（ＣＤ−Ｒ）内のアドレス特定キーをアドレス値に変換し、光ディスク（ＣＤ−Ｒ）の特定アドレス（例えば図５中のアドレスＹ）を算出する（ステップＳ１２）。
【００４３】
次に、その特定アドレス（例えばアドレスＹ）の内容からデバイスキーアドレス（例えば図５中のデバイスキーアドレスＡ１）を検出し（ステップＳ１３）、そのデバイスキーアドレス値の次に記されているチェック値（例えば図５中のチェック値Ｃ１）とディスク内アドレス特定キーの変換した値とを比較してアドレス値が有効かどうかを判定する（ステップＳ１４）。
【００４４】
そのアドレス値が有効である場合は（ステップＳ１５）、その有効アドレスからデバイスキーを一部取得し（ステップＳ１６）、例えば、図５中のデバイスキーアドレスＡ１からデバイスキーＤ１を取得し、全データが未だ揃ってしないときは（ステップＳ１７）、次のアドレスに移行し（ステップＳ１８）、ステップＳ１３の処理に戻り、同様にステップＳ１３〜ステップＳ１６の処理を行い、デバイスキー分の長さの全データが揃ったとき（ステップＳ１７）本処理は終了する。
【００４５】
なお、本実施形態で説明したデバイスキーは、ＤＶＤオーディオ規格のオーディオ再生の場合ではＣＰＰＭのデバイスキーのことを言い、ＤＶＤビデオ規格のビデオ再生の場合ではＣＰＲＭのデバイスキーのことを言い、これら二つのデバイスキーが各光ディスク再生装置のフラッシュメモリに記録されるが、各光ディスク再生装置毎にＣＰＰＭのデバイスキーおよびＣＰＲＭのデバイスキーが異なることを意味している。
【００４６】
【発明の効果】
以上のように本発明によれば、再生装置側ディスクＩＤと光ディスク側ディスクＩＤとを比較するＩＤ比較手段と、このＩＤ比較手段により前記再生装置側ディスクＩＤと前記光ディスク側ディスクＩＤとが一致したと判定された場合に光ディスクからデバイスキーを取得してフラッシュメモリに書き込むデバイスキー書込み手段とを有するシステムコントローラを備えたので、光ディスクを用いてフラッシュメモリにデバイスキーを書き込むことができ、また、各光ディスク再生装置はそれぞれ異なるデバイスキーを持つことになり、これにより、ユーザ以外の第三者にデバイスキーが解読されて漏れるようなことがなくなり、安全性が向上する。
【００４７】
また、光ディスク作成処理装置により、再生装置側ディスクＩＤを元に光ディスク側ディスクＩＤとデバイスキーとを書き込んだ前記光ディスクを作成し、このとき、デバイスキーをそのまま連続アドレスに書き込まずに、ダミーデータと共にアドレスに書き込むので、デバイスキーは解読されにくくなり、安全性が向上する。
【００４８】
また、製造時に間違って同じデバイスキーが複数の光ディスク再生装置のフラッシュメモリに書き込まれた場合でも、前記作成された光ディスクを用いることにより、デバイスキーを簡単に書き換えることが可能になり、従来のようにデバイスキーを書き換えるために、フラッシュメモリを回路基板から外す必要がなくなり、デバイスキーの書き換えの効率が向上する。
【００４９】
また、本発明によれば、再生装置側ディスクＩＤを元に光ディスク側ディスクＩＤおよびデバイスキーが書き込まれた光ディスクを予め作成しておき、フラッシュメモリにデバイスキーを書き込む際、システムコントローラは、前記作成された光ディスクの光ディスク側ディスクＩＤが再生装置側ディスクＩＤと一致すると判定した場合、その光ディスクからデバイスキーを取得してフラッシュメモリに書き込むようにしたので、各光ディスク再生装置はそれぞれ異なるデバイスキーを持つことになり、これにより、ユーザ以外の第三者にデバイスキーが解読されて漏れるようなことがなくなり、安全性が向上する。
【００５０】
また、製造時に間違って同じデバイスキーが複数の光ディスク再生装置のフラッシュメモリに書き込まれた場合でも、前記作成された光ディスクを用いることにより、デバイスキーを簡単に書き換えることが可能になり、従来のようにデバイスキーを書き換えるために、フラッシュメモリを回路基板から外す必要がなくなり、デバイスキーの書き換えの効率が向上する。
【図面の簡単な説明】
【図１】本発明の一実施形態に係る光ディスク再生装置の構成を示すブロック図である。
【図２】前記実施形態の光ディスク再生装置に備えられるフラッシュメモリにデバイスキーを書き込むための光ディスクを作成する光ディスク作成装置と、フラッシュメモリにファームウェアを書き込むためのファームウェア書込み処理装置とを示すブロック図である。
【図３】前記実施形態の光ディスク再生装置に備えられるフラッシュメモリの記憶領域を示す図である。
【図４】前記実施形態においてＣＰＲＭ／ＣＰＰＭのデバイスキーのフラッシュメモリへの書き込み処理（書き換え処理）を説明するためのフローチャートである。
【図５】前記実施形態における光ディスク（ＣＤ−Ｒ）内の値を示す図である。
【図６】前記実施形態において光ディスク内のアドレス特定キーからデバイスキーの取得までの処理を説明するためのフローチャートである。
【符号の説明】
１    光ディスク
１４    システムコントローラ
２０    フラッシュメモリ
１００    光ディスク作成処理装置
１４１    ＩＤ比較手段
１４２    デバイスキー書込み手段
【図１】
2004355688.tif 000003
【図２】
2004355688.tif 000004
【図３】
2004355688.tif 000005
【図４】
2004355688.tif 000006
【図５】
2004355688.tif 000007
【図６】
2004355688.tif 000008